(57)【要約】  【課題】  送信装置のＩＤが変更された場合に、受信装置のＩＤを自動的に変更後の送信装置のＩＤに設定する機能を備える送受信システムを提供することを目的とする。  【解決手段】  ＩＤ設定部１６でＩＤ情報が変更されると、変調部１３においてＩＤ情報が変更された旨の情報であるＩＤ変更情報と変更後のＩＤ情報を送信対象データに付す処理を行って送信用データを作成し、このデータが送信アンテナ１８から送信される。受信装置２０が、このデータを受信した際、復調部２３において送信用データに送信元を示すＩＤ情報が変更された旨を示すＩＤ変更情報が付されている場合には、ＩＤ変更情報をマイコン２７に与えることで、ＩＤ情報が変更されたことを認識させるとともに、ＩＤ変更情報が与えられた後に送られるＩＤ情報を新たな設定用ＩＤ情報として再設定する。  【選択図】      図１
2006352549.tif 000002
【特許請求の範囲】
【請求項１】
無線方式によって送信対象データを受信装置に対して送信する送信装置であって、
送信装置固有の情報であるＩＤ情報を設定するＩＤ設定部と、
前記送信対象データに前記ＩＤ情報を付す処理を行って送信用データを作成する変調部と、を備え、
前記ＩＤ設定部でＩＤ情報が変更されると、前記変調部が、ＩＤ情報が変更された旨の情報であるＩＤ変更情報と変更後のＩＤ情報とを前記送信対象データに付す処理を行って送信用データを作成することを特徴とする送信装置。
【請求項２】
無線方式によって送信装置から送信された送信用データを受信する受信装置であって、
前記送信用データより、送信対象データと、送信対象データの送信元を示すＩＤ情報と、ＩＤ情報が変更された場合にのみ付されるＩＤ変更情報と、を復元する復調部と、
前記復調部で復元された送信対象データを利用者が利用可能な形式に変換する変換部と、
前記復調部で復元された前記ＩＤ情報が与えられるとともに、予め設定された設定用ＩＤ情報と同一のＩＤ情報である場合に限り前記復調部に対して前記送信対象データを前記変換部に出力する指示を行うＩＤ情報確認部と、を備え、
前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、
前記ＩＤ情報確認部が、ＩＤ変更情報が与えられた後に送られるＩＤ情報を新たな設定用ＩＤ情報として再設定することを特徴とする受信装置。
【請求項３】
前記復調部に与えられる送信用データの通信レートが保持されるエラー確認部を備え、
前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、
前記ＩＤ情報確認部が、ＩＤ変更情報が与えられた後に送られるＩＤ情報を新たな設定用ＩＤ情報として変更し、
設定用ＩＤ情報が変更された後、前記復調部より前記ＩＤ情報確認部に与えられるＩＤ情報が再設定後のＩＤ情報と一致しない場合に、エラー確認部が、設定用ＩＤ情報が変更される前に保持されている送信用データの通信レートと設定用ＩＤ情報が変更された後に与えられる送信用データが示す通信レートとを比較して、これらの通信レートが一致した場合には、ＩＤ情報確認部に対して、設定用ＩＤ情報を変更前のＩＤ情報に戻す指示を与えることを特徴とする請求項２に記載の受信装置。
【請求項４】
送信装置と受信装置とで構成される送受信システムであって、
送信装置が、
送信装置固有の情報であるＩＤ情報を設定するＩＤ設定部と、
前記送信対象データに前記ＩＤ情報を付す処理を行って送信用データを作成する変調部と、を備えるとともに、
前記ＩＤ設定部でＩＤ情報が変更されると、前記変調部が、ＩＤ情報が変更された旨の情報であるＩＤ変更情報と変更後のＩＤ情報とを前記送信対象データに付す処理を行って送信用データを作成し、
受信装置が、送信装置から送信された送信用データを受信すると、前記送信用データより送信対象データと送信対象データの送信元を示すＩＤ情報とＩＤ情報が変更された場合にのみ付されるＩＤ変更情報と、を復元する復調部と、
前記復調部で復元された送信対象データを利用者が利用可能な形式に変換する変換部と、
前記復調部で復元された前記ＩＤ情報が与えられるとともに、予め設定された設定用ＩＤ情報と同一のＩＤ情報である場合に限り前記復調部に対して前記送信対象データを前記変換部に出力する指示を行うＩＤ情報確認部と、を備え、
前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、
前記ＩＤ情報確認部が、ＩＤ変更情報が与えられた後に送られるＩＤ情報を新たな設定用ＩＤ情報として再設定することを特徴とする送受信システム。
【請求項５】
送信装置と受信装置とで構成される送受信システムであって、
前記受信装置が、前記復調部に与えられる送信用データの通信レートが保持されるエラー確認部を備え、
前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、
前記ＩＤ情報確認部が、ＩＤ変更情報が与えられた後に送られるＩＤ情報を新たな設定用ＩＤ情報として変更し、
設定用ＩＤ情報が変更された後、前記復調部より前記ＩＤ情報確認部に与えられるＩＤ情報が再設定後のＩＤ情報と一致しない場合に、エラー確認部が、設定用ＩＤ情報が変更される前に保持されている送信用データの通信レートと設定用ＩＤ情報が変更された後に与えられる送信用データが示す通信レートとを比較して、これらの通信レートが一致した場合には、ＩＤ情報確認部に対して、設定用ＩＤ情報を変更前のＩＤ情報に戻す指示を与えることを特徴とする請求項４に記載の送受信システム。
【発明の詳細な説明】
【技術分野】
【０００１】
本発明は、送信装置と受信装置とから構成される送受信システムであって、送信装置と受信装置との間で通信を行うにあたり、混信を防止するためにＩＤコードを利用して通信を行う送受信システムに関するものである。
【背景技術】
【０００２】
微弱電波を利用して無線方式で作動させるワイアレス送受信システムが、家庭やオフィスなど至る所で利用されている。
【０００３】
このようなワイアレス送受信システムにおいては、他の電子機器から出力される同じ周波数の信号の影響を受けて異常受信状態とならないように、予め受信装置および送信装置にはＩＤコードが付されており、送信装置から送信されたデータに含まれるＩＤコードと受信装置に付されるＩＤコードとが一致しない場合には受信装置が当該データを受信しないような措置が行われているのが通例である。
【０００４】
このとき、ワイアレス送受信システムで利用される送信装置と受信装置には、予め同一のＩＤコードを付す必要があるが、更にこのシステムで利用する送信装置を増加する場合には、新たに追加を行う送信装置に付されているＩＤコードを受信装置に書き込む必要があり、新たにＩＤコードを受信装置に書き込むことでシステムに利用できる送信装置を増加可能な形式とする技術が従来より開示されている（例えば、特許文献１参照）。
【０００５】
また、受信装置に、送信装置のＩＤコードを登録する登録モードと通常の動作を行う制御モードの２つのモードを設けるとともに、受信装置が登録モードにある期間には送信装置のＩＤコードの登録を行い、利用者が外部より切換指示を行うかもしくは所定の時間が経過すると制御モードに切り換えられて、これ以後は送信装置からの信号を受信して受信装置が通常の動作を行うような送受信システムが従来より開示されている（例えば、特許文献２参照）。
【特許文献１】特開平４−１４４３４４号公報
【特許文献２】特開平２−１１４７９７号公報
【発明の開示】
【発明が解決しようとする課題】
【０００６】
上述の特許文献１あるいは特許文献２のいずれの技術も、送信装置のＩＤと受信装置のＩＤを単に合わせることで、送信装置から送信されるデータに付される送信装置のＩＤと受信装置のＩＤとを比較して、同一のＩＤである場合にのみデータ転送を行うものである。
【０００７】
ところで、このような送受信システムにおいて、利用者の都合によって他の機器のＩＤとの合致を避けるために送信装置のＩＤを別途変更する場合がある。このとき、従来の技術によれば、送信装置のＩＤが変更されると、当該変更されたＩＤと受信装置のＩＤとが一致しないため、ＩＤ変更後に送信装置からのデータが受信装置に送られても受信装置が当該データを受信できない。すなわち、受信装置は送信装置のＩＤが変更された旨の情報を認識できないため、非対応の送信装置からのデータが送られてきたものと判断してしまい、この結果送信装置からのデータを正常に受信することができない。
【０００８】
従って、上述の技術において送信装置のＩＤを変更する場合には、別途マニュアルによって受信装置のＩＤを送信装置のＩＤに合わせる作業が必要となるため、非常に不便であった。
【０００９】
本発明は、上記の問題点に鑑みて、送信装置のＩＤが変更された場合に、受信装置のＩＤを自動的に変更後の送信装置のＩＤに設定する機能を備える送受信システムを提供することを目的とする。また、本発明は、ＩＤを変更した旨の情報を送信して、自動的に当該ＩＤを受信装置のＩＤに設定させる機能を備える送信装置を提供することを目的とする。さらに本発明は、送信装置のＩＤが変更されると、その旨の情報を受信するとともに、当該変更後のＩＤに自動的にＩＤを設定する機能を備える受信装置を提供することを目的とする。
【課題を解決するための手段】
【００１０】
上記目的を達成すべく、本発明の送信装置は、無線方式によって送信対象データを受信装置に対して送信する送信装置であって、送信装置固有の情報であるＩＤ情報を設定するＩＤ設定部と、前記送信対象データに前記ＩＤ情報を付す処理を行って送信用データを作成する変調部と、を備え、前記ＩＤ設定部でＩＤ情報が変更されると、前記変調部が、ＩＤ情報が変更された旨の情報であるＩＤ変更情報と変更後のＩＤ情報とを前記送信対象データに付す処理を行って送信用データを作成することを特徴とする。
【００１１】
このとき、例えばＩＤ設定部はメカスイッチで構成されるとしてもよい。そして、このメカスイッチによって指示されるＩＤ情報が、変調部において送信対象データに付されることで、送信装置から送信される送信用データには、送信元である送信装置のＩＤ情報が記載される形式となる。このとき、メカスイッチを操作することでＩＤ情報の変更を行うと、ＩＤ情報を変更した旨の情報と、変更後のＩＤ情報とが送信対象データに付されるので、この送信用データを受信した受信装置は、送信装置のＩＤが変更されたことを認識し、変更後のＩＤを登録することで、このＩＤ情報変更後も送信装置からの送信データを受信することが可能である。
【００１２】
なお、ＩＤ設定部に設定されるＩＤ情報や、ＩＤ設定部が操作されることでＩＤ情報が変更されたことを表すＩＤ変更情報がＩＤ設定部からマイコンに送られるとともに、マイコンから前記変調部に対してその旨の信号が与えられる構成としても構わない。
【００１３】
また、本発明の受信装置は、無線方式によって送信装置から送信された送信用データを受信する受信装置であって、前記送信用データより、送信対象データと、送信対象データの送信元を示すＩＤ情報と、ＩＤ情報が変更された場合にのみ付されるＩＤ変更情報と、を復元する復調部と、前記復調部で復元された送信対象データを利用者が利用可能な形式に変換する変換部と、前記復調部で復元された前記ＩＤ情報が与えられるとともに、予め設定された設定用ＩＤ情報と同一のＩＤ情報である場合に限り前記復調部に対して前記送信対象データを前記変換部に出力する指示を行うＩＤ情報確認部と、を備え、前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、前記ＩＤ情報確認部が、ＩＤ変更情報が与えられた後に送られるＩＤ情報を新たな設定用ＩＤ情報として再設定することを特徴とする。
【００１４】
このとき、送信対象データが音声データである場合には、変換部がＤ／Ａ変換を行うためのＤ／Ａ変換部と、Ｄ／Ａ変換部によって生成されたアナログデータを外部出力するための外部音声出力部とで構成されるものとしてもよい。また、ＩＤ情報確認部をマイコンで構成するものとしてもよい。
【００１５】
このように構成されるとき、予め設定されていたＩＤ情報と同一のＩＤ情報を示す送信装置から送信された送信用データのみが、復調部から後段のブロックに出力され、利用者が利用できる形式に変換される。また、送信装置のＩＤ情報が変更された場合には、復調部がＩＤ変更情報を認知すると、この情報と、変更後のＩＤ情報をＩＤ情報確認部に与える。ＩＤ情報確認部は、ＩＤ変更情報が与えられることで、送信装置のＩＤ情報が変更されたことを認識し、その後に送られるＩＤ情報に設定ＩＤを自動的に変更する。これによって、送信装置のＩＤ情報が変更された場合に、受信装置はマニュアルで設定ＩＤの変更を行わずとも変更後のＩＤ情報が登録され、変更後も送信装置からの送信データを正常に受信することができる。
【００１６】
また、例えば、本発明の受信装置が、前記復調部に与えられる送信用データの通信レートが保持されるエラー確認部を備え、前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、前記ＩＤ情報確認部が、ＩＤ変更情報が与えられた後に送られるＩＤ情報を新たな設定用ＩＤ情報として変更し、設定用ＩＤ情報が変更された後、前記復調部より前記ＩＤ情報確認部に与えられるＩＤ情報が再設定後のＩＤ情報と一致しない場合に、エラー確認部が、設定用ＩＤ情報が変更される前に保持されている送信用データの通信レートと設定用ＩＤ情報が変更された後に与えられる送信用データが示す通信レートとを比較して、これらの通信方式が一致した場合には、ＩＤ情報確認部に対して、設定用ＩＤ情報を変更前のＩＤ情報に戻す指示を与える構成としても構わない。
【００１７】
なお、このときにエラー確認部がエラー確認を行う要素としては、送信用データの通信レートの他に、通信方式やチャンネルを利用する構成としても構わない。
【００１８】
このように構成されることで、万一妨害電波を受信することで設定ＩＤが変更された場合においても、ＩＤ情報変更前に受信された送信用データの通信レートと、ＩＤ情報変更後に受信された送信用データの通信レートとが一致していることが確認されれば、設定ＩＤの変更が送信装置より正常に行われたものではなく、妨害電波を受信したことによってＩＤ情報が変更されたものであることを認識する。そしてエラー確認部がＩＤ情報確認部に対して、設定ＩＤ情報を変更前に戻す指示を自動的に行うことで、万一、妨害電波を受信したことによって設定ＩＤが変更された場合においても、送信装置からの送信データを正常に受信することができる。
【００１９】
また、本発明の送受信システムは、送信装置と受信装置とで構成される送受信システムであって、送信装置が、送信装置固有の情報であるＩＤ情報を設定するＩＤ設定部と、前記送信対象データに前記ＩＤ情報を付す処理を行って送信用データを作成する変調部と、を備えるとともに、前記ＩＤ設定部でＩＤ情報が変更されると、前記変調部が、ＩＤ情報が変更された旨の情報であるＩＤ変更情報と変更後のＩＤ情報とを前記送信対象データに付す処理を行って送信用データを作成し、受信装置が、送信装置から送信された送信用データを受信すると、前記送信用データより送信対象データと送信対象データの送信元を示すＩＤ情報とＩＤ情報が変更された場合にのみ付されるＩＤ変更情報と、を復元する復調部と、前記復調部で復元された送信対象データを利用者が利用可能な形式に変換する変換部と、前記復調部で復元された前記ＩＤ情報が与えられるとともに、予め設定された設定用ＩＤ情報と同一のＩＤ情報である場合に限り前記復調部に対して前記送信対象データを前記変換部に出力する指示を行うＩＤ情報確認部と、を備え、前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、前記ＩＤ情報確認部が、ＩＤ変更情報が与えられた後に送られるＩＤ情報を新たな設定用ＩＤ情報として再設定することを特徴とする。
【００２０】
また、例えば、前記受信装置が、前記復調部に与えられる送信用データの通信方式が保持されるエラー確認部を備え、前記復調部が前記送信用データを復元した際、前記送信用データに送信元を示すＩＤ情報が変更された旨を示すＩＤ変更情報が付されている場合には、該ＩＤ変更情報を復元されたＩＤ情報とともにＩＤ情報確認部に与え、前記ＩＤ情報確認部が、ＩＤ変更情報が与えられた後に送られるＩＤ情報を新たな設定用ＩＤ情報として変更し、設定用ＩＤ情報が変更された後、前記復調部より前記ＩＤ情報確認部に与えられるＩＤ情報が再設定後のＩＤ情報と一致しない場合に、エラー確認部が、設定用ＩＤ情報が変更される前に保持されている送信用データの通信方式と設定用ＩＤ情報が変更された後に与えられる送信用データが示す通信方式とを比較して、これらの通信方式が一致した場合には、ＩＤ情報確認部に対して、設定用ＩＤ情報を変更前のＩＤ情報に戻す指示を与える構成としてもよい。
【発明の効果】
【００２１】
本発明の構成によれば、送信装置がＩＤ情報を変更した場合に、変更した旨の情報と変更後のＩＤとが受信装置に送られるため、受信装置は、変更した旨の情報を受信することで、送信装置の設定ＩＤがその後に送られるデータに付されるＩＤに変更されたことを認識することができ、このＩＤを登録ＩＤとして自動的に変更することで、受信装置側でマニュアルによって設定ＩＤを変更する必要がなくなり利用者の労力が低減される。
【発明を実施するための最良の形態】
【００２２】
＜第１の実施形態＞
本発明の第１の実施形態について、図面を参照して説明する。図１は、本発明の送受信システムの一実施形態である音声データ送受信システムの構造を示すブロック図である。なお、以下では、送信装置に入力された音声データが受信装置に受信されて、受信装置から出力される音声信号を利用者が聴覚的に確認することができる音声データ送受信システムを例に挙げて説明するが、転送されるデータは音声データに限られるものではない。
【００２３】
図１に示される送受信システム１は、送信装置１０と受信装置２０から構成される。
【００２４】
送信装置１０は、外部より音声が入力される外部音声入力部１１と、外部音声入力部１１に入力された音声信号をディジタルデータに変換するＡ／Ｄ変換部１２と、Ａ／Ｄ変換部１２から出力されるディジタル信号を送信するための所定の形式に変調する変調部１３と、変調部１３より出力されるデータを送信を行うための周波数に変更する送信部１４と、送信部１４から出力されるデータを送信するための送信アンテナ１８とで構成される。
【００２５】
また、送信装置１０は、送信装置のＩＤを設定するためのＩＤ設定部１６と、ＩＤ設定部１６よりＩＤ情報や後述するＩＤ変更情報が与えられるとともに、変調部１３に当該ＩＤ情報あるいはＩＤ変更情報を出力して音声データに付加させる指示を与え、さらには後述する送信周波数制御部１５に対して送信周波数の指示を与えるマイコン１７と、マイコン１７から与えられる送信周波数の指示内容より実際に送信周波数を決定して送信部１４に与える送信周波数制御部１５とで構成される。
【００２６】
なお、ＩＤ設定部１６は、後述するようにメカ式スイッチなどで構成されるものとしてもよく、この場合、当該スイッチを操作することで設定ＩＤを変更することが可能な構成である。また、このとき、変更後のＩＤ情報とＩＤを変更した旨の情報であるＩＤ変更情報がマイコン１７に与えられる。
【００２７】
一方、受信装置２０は、電波を受信するための受信アンテナ２１と、受信アンテナ２１で受信されたデータのうち所定の周波数の信号のみを後段に出力させるための受信部２２と、受信部２２から出力されるデータを所定の形式のもとに復調して音声データあるいはＩＤ情報、ＩＤ変更情報を抽出する復調部２３と、復調部２３で抽出された音声データをアナログ信号に変換するＤ／Ａ変換部２４と、Ｄ／Ａ変換部２４から与えられるアナログ信号を利用者に聞こえるよう外部に出力するための外部音声出力部２５とを備える。
【００２８】
また、受信装置２０は、復調部より与えられるＩＤ情報およびＩＤ変更情報より、当該データが対応する送信装置から与えられたものか否かを判別するとともに、対応する送信装置からの情報であれば復調された音声データを後段のＤ／Ａ変換部２４に出力する旨の指示を与え、さらには後述する受信周波数制御部２６に対して受信周波数の指示を与えるマイコン２７と、マイコン２７から与えられる受信周波数の指示内容より実際に受信周波数を決定して受信部２２に与える受信周波数制御部２６とで構成される。
【００２９】
以下に、図１に示される送受信システム１の動作内容について説明する。
【００３０】
送信装置１０は、ＩＤ設定部１６において所定のＩＤ（以下では、ＩＤ−０１と称する）に設定されている。そして、受信装置２０では、予めこのＩＤ−０１が設定されている送信装置１０からのデータが受信できるように、マイコン２７においてＩＤ−０１が付されたデータについては受信後も後段の演算ブロックに出力する指示を与える旨の設定がなされている。
【００３１】
この状態の元で、外部音声入力部１１より音声が入力されると、入力音声がＡ／Ｄ変換部１２に与えられてディジタル信号に変換される。そして、変換されたディジタル信号が変調部１３に与えられる。
【００３２】
変調部１３には、マイコンよりＩＤ設定部１６で設定されている送信装置１０のＩＤ情報が与えられる。上記の例では、このＩＤはＩＤ−０１であり、変調部１３においてディジタル信号に変換された音声データにこのＩＤ情報が付加されて送信部１４に与えられる。
【００３３】
送信部１４は、変調部１３より与えられるディジタル信号を送信周波数制御部１５より指定された周波数に周波数変換する。送信周波数制御部１５は、予め送受信システム１で利用される信号周波数がマイコン１７より与えられており、この周波数情報を送信部１４に与える。なお、送受信システム１で利用する周波数を外部より指定してやることで、信号周波数の値の変更指示がマイコン１７より送信周波数制御部１５に与えられ、これによって送信周波数を変更することができる構成としてもよい。
【００３４】
送信部１４で周波数変換されたディジタル信号は送信アンテナ１８より外部に出力される。この出力される信号には、外部音声入力部１１より入力された音声信号と、ＩＤ設定部１６で設定されているＩＤ情報とが含まれている。
【００３５】
受信アンテナ２１は、外部より電波を受信すると後段の受信部２２に出力する。受信部２２は、受信周波数制御部２６から与えられる所定の周波数の信号のみを後段の復調部２３に出力する。
【００３６】
受信周波数制御部２６は、送信周波数制御部１５と同様、予め送受信システム１で利用される信号周波数がマイコン２７より与えられており、この周波数情報を受信部２２に与える。なお、送受信システム１で利用する周波数を外部より指定してやることで、信号周波数の値の変更指示がマイコン２７より送信周波数制御部２６に与えられ、これによって受信周波数を変更することができる構成としてもよい。
【００３７】
復調部２３は、受信部２２より与えられるディジタル信号を所定の規則の下で復調して、音声データとＩＤ情報とを抽出する。そして、抽出されたＩＤ情報をマイコン２７に送るとともに、このＩＤ情報がマイコン２７において予め登録されているＩＤ情報と同一の情報であるか否かの判断を行う。同一のＩＤ情報であることを確認すると、復調部２３にその旨の信号を送り、この信号を受信した復調部２３は、抽出した音声データを後段のＤ／Ａ変換部２４に出力する。一方、抽出されたＩＤ情報がマイコン２７において予め登録されているＩＤ情報と一致しない場合には、復調部２３にその旨の信号を送り、この信号を受信した復調部２３は抽出した音声データを後段のＤ／Ａ変換部２４に出力することなく、例えば削除の手続きを行う。
【００３８】
そしてＤ／Ａ変換部２４に与えられた音声データが外部音声出力部２５に送られ、利用者は外部音声出力部２５から出力される音声データを聴覚的に確認することができる。
【００３９】
このように構成される送受信システム１において、利用者の都合によって他の機器のＩＤとの合致を避けるために送信装置のＩＤを変更する場合におけるシステムの動作内容について以下に説明する。なお、以下ではＩＤをＩＤ−０１からＩＤ−０２に変更するものとして説明を行う。
【００４０】
利用者がＩＤ設定部１６を操作して、設定ＩＤをＩＤ−０１からＩＤ−０２に変更したとする。このとき、マイコン１７には、新たなＩＤ情報ＩＤ−０２に加えて、設定ＩＤを変更した旨の情報であるＩＤ変更情報が与えられる。なお、以下ではＩＤ情報とＩＤ変更情報とを併せてＩＤ関連情報と称するものとする。
【００４１】
このような状態の元で、外部音声入力部２４から音声が入力されると、Ａ／Ｄ変換部１２でディジタル変換された後のディジタルデータが与えられる変調部１３では、このディジタルデータに、ＩＤ変更情報と新たなＩＤ情報ＩＤ−０２とを付加して送信部１４に出力する。なお、これ以後に外部音声入力部２４から入力される音声データには、新しいＩＤ情報であるＩＤ−０２のみが付加されるものとして構わない。すなわち、設定ＩＤを変更した時点で、ＩＤ変更情報を付加し、その後に新たなＩＤ情報を付加するものとしてよい。そして、このように変調されたディジタルデータが送信部１４を介して送信アンテナ１８から送信される。
【００４２】
一方、受信アンテナ２１がこの信号を受信すると、受信部２２を介して当該信号を復調部２３に与える。復調部２３は、所定の規則の下で与えられたディジタルデータから音声データとＩＤ関連情報とを抽出し、ＩＤ関連情報をマイコン２７に与える。このときに抽出されるＩＤ関連情報としては、上述のようにＩＤ変更情報と新たなＩＤ情報ＩＤ−０２とが含まれている。なお、ＩＤ変更情報が抽出される前の時点ではＩＤ情報がＩＤ−０１を示しており、ＩＤ変更情報を抽出後のＩＤ情報はＩＤ−０２を示している。
【００４３】
マイコン２７は、ＩＤ変更情報が与えられる前の時点ではＩＤ情報としてＩＤ−０１が与えられ、この動作については上述した通りである。そして、マイコン２７にＩＤ変更情報が与えられると、マイコン２７は、これ以後のＩＤ情報が変更されることを認識し、その後に送られるＩＤ情報（ＩＤ−０２）を新たな登録ＩＤとしてマイコン２７に登録する。そして、これ以後はＩＤ情報としてＩＤ−０２を示すデータが復調部２３より与えられた時に限って音声データをＤ／Ａ変換部２４に出力する指示を行う。
【００４４】
このように構成されることで、送信装置においてＩＤ情報を変更する場合においても、変更後のＩＤに加えて変更した旨の情報が自動的に受信装置に与えられ、送信装置の変更後のＩＤ情報を自動的に登録することができる。従って従来の受信装置で行われていたように、送信装置のＩＤ情報をマニュアルにて登録し直す必要がなく、これによって利用者の労力を低減することができる。
【００４５】
＜第２の実施形態＞
本発明の第２の実施形態について、図面を参照して説明する。なお、本実施形態において、第１の実施形態と同一の部分については同一の符号を付してその詳細な説明を省略する。
【００４６】
なお、本実施形態は、第１の実施形態と比較して、受信装置が、図１における受信装置２０の構成に加えてエラー確認部２８を新たに備えるものであり、他の構成要素は第１の実施形態と同一である。すなわち、送信装置は第１の実施形態と同一の構成であるため、以下では受信装置の動作内容についてのみ説明を行い、送信装置の動作内容については必要に応じて適宜行うものとする。
【００４７】
図２は、本実施形態の音声データ送受信システムの構造を示すブロック図である。図２に示される送受信システム１ａも、図１と同様に送信装置１０と受信装置２０ａから構成される。
【００４８】
ここで、受信装置２０ａは、図１に示す受信装置２０の各構成要素に加えて、受信時のエラー状態を確認するエラー確認部２８を備える。このエラー確認部２８の動作内容について説明を行う。
【００４９】
受信装置２０ａに対して、他の妨害信号が送信され、当該信号を受信装置２０ａが受信することで受信装置２０ａのＩＤ情報が変更される場合を考える。
【００５０】
例えば、送信装置１０のＩＤ情報がＩＤ−０１であり、受信装置２０ａの受信可能ＩＤがＩＤ−０１と設定されていたとする。この場合、送信装置１０の送信アンテナ１８から送信されるディジタルデータは、ＩＤ情報ＩＤ−０１が付されており、この情報を復調部２３が復調してマイコン２７で確認されることで、復元された音声データが後段のＤ／Ａ変換部２４に送られて、音声出力される。
【００５１】
このとき、復調部２３に与えられるディジタルデータの通信レートがエラー確認部２８に与えられ、保管される。この通信レートは、ディジタルデータが与えられる所定のタイミング毎にエラー確認部２８に書き込まれるものとしてもよい。
【００５２】
このように構成されるとき、例えば、送信装置１０のＩＤ情報がＩＤ−０１であり、この送信装置１０から音声データを含むディジタルデータが送信され続けている間に、受信装置２０ａが妨害信号を受信して、受信するＩＤ情報をＩＤ−０１からＩＤ−０３に書き換えられたとする。
【００５３】
受信部２２より出力されたディジタルデータは復調部２３に送られ、所定の形式の元で復調処理が施される。このとき、付されているＩＤ情報がマイコン２７に送られるが、送信装置１０から送信されたディジタルデータであるため付されるＩＤ情報がＩＤ−０１であるのに対し、マイコン２７に登録されているＩＤ情報はＩＤ−０３であるため、マイコン２７は復調部２３に対して、ＩＤ情報が異なる旨の信号を与える。
【００５４】
復調部２３は、マイコン２７よりＩＤ情報が異なる旨の信号を受けると、エラー確認部２８に対して与えられたディジタルデータの通信レートを、エラーを確認する指示を表す信号であるエラー確認信号とともに送出する。エラー確認部２８は、エラー確認信号を受信すると、これとともに与えられた通信レートと、すでに保持されている前段階に与えられたディジタルデータの通信レートとの比較を行う。そして、この値が同一である場合には、ＩＤ情報変更の指示が妨害信号であったことを認識し、エラー確認部２８がマイコン２７に対して、ＩＤ情報を元に戻す指示を行う。一方、通信レートの値が異なる場合には、ＩＤ情報変更の指示は正しく行われたものとしてよい。このとき、復調部２３に与えられているディジタルデータは、後段のＤ／Ａ変換部２４に出力せず、削除するものとしてよい。
【００５５】
このようにして、エラー確認部２８の指示の元で設定ＩＤ情報がＩＤ−０１に戻されると、送信装置１０から送信されるディジタルデータに付されているＩＤ情報と一致するため、マイコン２７からの指示に応じて、復調部２３に送られるディジタルデータが後段のＤ／Ａ変換部２４に出力され、外部音声出力部２５より音声出力される。
【００５６】
すなわち、本実施形態のように、受信されたディジタルデータの通信レートを確認するエラー確認部２８を備えることで、万一妨害電波を受信することで設定ＩＤが変更された場合においても、ＩＤ情報変更前に受信されたディジタルデータの通信レートと、ＩＤ情報変更後に受信されたディジタルデータの通信レートとが一致していることが確認されれば、設定ＩＤの変更が送信装置より正常に行われたものではなく、妨害電波を受信したことによってＩＤ情報が変更されたものであることを認識する。そしてエラー確認部２８がマイコン２７に対して、設定ＩＤ情報を変更前に戻す指示を自動的に行うことで、万一、妨害電波を受信したことによって設定ＩＤが変更された場合においても、送信装置から送られる音声信号を外部に出力させることができる。
【００５７】
なお上述では、エラー確認部２８がディジタルデータの通信レートが変更されているか否かをチェックすることで設定ＩＤの変更が送信装置からの指示の元で正規に行われたものか、あるいは妨害電波を受信したことによるものかを判断するとしたが、通信レートに限られず、通信方式やチャンネルなど他の要素で判断するものとしても構わない。
【産業上の利用可能性】
【００５８】
本発明の送受信システムは、例えば親機と子機で構成される家庭用電話機や、ワイアレスヘッドホンなど、無線接続によって音声データを送受信するシステムや、あるいはリモートコントロールによって機器を制御するためのシステムなどに対して好適に利用され得る。
【図面の簡単な説明】
【００５９】
【図１】は、本発明の第１の実施形態における送受信システムの構成を示すブロック図である。
【図２】は、本発明の第２の実施形態における送受信システムの構成を示すブロック図である。
【符号の説明】
【００６０】
１、１ａ    送受信システム
１０    送信装置
１１    外部音声入力部
１２    Ａ／Ｄ変換部
１３    変調部
１４    送信部
１５    送信周波数制御部
１６    ＩＤ設定部
１７    マイコン
１８    送信アンテナ
２０、２０ａ    受信装置
２１    受信アンテナ
２２    受信部
２３    復調部
２４    Ｄ／Ａ変換部
２５    外部音声出力部
２６    受信周波数制御部
２７    マイコン
２８    エラー確認部
【図１】
2006352549.tif 000003
【図２】
2006352549.tif 000004